【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
撮影された静止画データを複数記憶する静止画記憶手段と、
前記記憶されている複数の静止画データの中から、任意の静止画データを選択するとともに、この選択された静止画の読み出し順番を任意に指定する指定手段と、
前記指定手段により選択及び指定された情報をプレイリストとして複数記憶するプレイリスト記憶手段と、
前記プレイリスト記憶手段に記憶されている複数のプレイリストの中から任意のプレイリストを指定して再生を指示する再生指示手段と、
前記再生指示手段によりプレイリストの指定と共に再生が指示された場合に、該プレイリストで指定された静止画を、指定された順番で前記静止画記憶手段から逐次読み出す読み出し手段と、
前記読み出し手段により逐次読み出される各静止画データを、切り換えながら表示部に逐次表示させる表示制御手段と、
を具備することを特徴とする静止画再生装置。
【請求項２】
前記指定手段は、ユーザによる進む／戻るの指示を含み、前記読み出し手段は、ユーザによる進む／戻るの指示操作に応じて、プレイリストで指定される静止画を指定される順番で読み出し、前記表示制御手段は、逐次読み出される各静止画データを、ユーザによる進む／戻るの指示操作に応じて切り換えながら前記表示部に逐次表示させることを特徴とする請求項１記載の静止画再生装置。
【請求項３】
前記表示制御手段は、前記読み出し手段により逐次読み出される各静止画データを、予め設定された所定の時間間隔で切り換えながら前記表示部に逐次表示させることを特徴とする請求項１記載の静止画再生装置。
【請求項４】
前記指定手段は、プレイリストに含まれる各静止画毎にその再生時間を指定し、前記表示制御手段は、前記読み出し手段によって逐次読み出される静止画データを、各静止画毎に指定される時間の間表示した後に、次の静止画を前記表示部に逐次表示させることを特徴とする請求項１記載の静止画再生装置。
【請求項５】
前記表示制御手段は、設定対象となるプレイリストに含まれる静止画の一部または全体を、その再生順がわかるように前記表示部のプレイリスト設定画面上に表示させるとともに、該プレイリストへの追加候補となる複数の静止画を前記プレイリスト設定画面上に表示し、ユーザが該プレイリストに追加する静止画と、その挿入位置を前記プレイリスト設定画面上で指定することを促すことを特徴とする請求項１記載の静止画再生装置。
【請求項６】
音声データを複数記憶する音声記憶手段をさらに具備し、前記プレイリスト記憶手段は、前記指定手段により選択した音声データの指定情報をプレイリストに対応付けて記憶し、前記表示制御手段は、プレイリストに従って静止画の再生を行う際に、該プレイリストで指定される音声データを再生させることを特徴とする請求項１記載の静止画再生装置。
【請求項７】
前記指定手段は、プレイリストに含まれる各静止画毎に、該静止画の再生中に再生される音声データを任意に指定し、前記プレイリスト記憶手段は、各静止画に対して音声データの指定情報をプレイリストに記憶し、前記再生手段は、プレイリストに従った静止画の再生の際に、各静止画に対応する音声データを再生することを特徴とする請求項１記載の静止画再生装置。
【請求項８】
前記プレイリスト記憶手段は、前記記憶されている複数の静止画データの中から選択された任意の静止画データに、音声データ再生時の音量を対応付けて記憶することを特徴とする請求項６または７記載の静止画再生装置。
【請求項９】
撮影された静止画データを静止画記憶手段に複数記憶する静止画記憶ステップと、
前記記憶されている複数の静止画データの中から、任意の静止画データを選択するとともに、この選択された静止画の読み出し順番を任意に指定する指定ステップと、
前記指定ステップにおいて選択及び指定された情報をプレイリストとしてプレイリスト記憶手段に複数記憶するプレイリスト記憶ステップと、
前記プレイリスト記憶手段に記憶されている複数のプレイリストの中から任意のプレイリストを指定して再生を指示する再生指示ステップと、
前記再生指示ステップにおいてプレイリストの指定と共に再生が指示された場合に、該プレイリストで指定された静止画を、指定された順番で前記静止画記憶手段から逐次読み出す読み出しステップと、
前記読み出しステップにおいて逐次読み出される各静止画データを、切り換えながら表示部に逐次表示させる表示制御ステップと、
を具備することを特徴とする静止画再生方法。
【請求項１０】
被写体を撮影して静止画データを取得する撮影手段を有することを特徴とする請求項１から８のいずれか１つに記載の静止画再生装置。
【請求項１１】
被写体を撮影して静止画データを取得する撮影手段と、
取得した静止画データを複数記憶する静止画記憶手段と、
前記記憶されている複数の静止画データの中から、任意の静止画データを選択するとともに、この選択された静止画の読み出し順番を任意に指定する指定手段と、
前記指定手段により選択及び指定された情報をプレイリストとして複数記憶するプレイリスト記憶手段と、
前記プレイリスト記憶手段に記憶されている複数のプレイリストの中から任意のプレイリストを指定して再生を指示する再生指示手段と、
前記再生指示手段によりプレイリストの指定と共に再生が指示された場合に、該プレイリストで指定された静止画を、指定された順番で前記静止画記憶手段から逐次読み出す読み出し手段と、
前記読み出し手段により逐次読み出される各静止画データを、切り換えながら逐次表示する表示手段と、
を具備することを特徴とするカメラ。
【手続補正２】
【補正対象書類名】明細書
【補正対象項目名】０００６
【補正方法】変更
【補正の内容】
【０００６】
上記の目的を達成するために、本発明の第１の態様は、静止画像再生装置であって、撮
影された静止画データを複数記憶する静止画記憶手段と、前記記憶されている複数の静止
画データの中から、任意の静止画データを選択するとともに、この選択された静止画の読
み出し順番を任意に指定する指定手段と、前記指定手段により選択及び指定された情報を
プレイリストとして複数記憶するプレイリスト記憶手段と、前記プレイリスト記憶手段に
記憶されている複数のプレイリストの中から任意のプレイリストを指定して再生を指示す
る再生指示手段と、前記再生指示手段によりプレイリストの指定と共に再生が指示された
場合に、該プレイリストで指定された静止画を、指定された順番で前記静止画記憶手段か
ら逐次読み出す読み出し手段と、前記読み出し手段により逐次読み出される各静止画デー
タを、切り換えながら表示部に逐次表示させる表示制御手段とを具備する。
【手続補正３】
【補正対象書類名】明細書
【補正対象項目名】０００７
【補正方法】変更
【補正の内容】
【０００７】
また、本発明の第２の態様は、第１の態様において、前記指定手段は、ユーザによる進
む／戻るの指示を含み、前記読み出し手段は、ユーザによる進む／戻るの指示操作に応じ
て、プレイリストで指定される静止画を指定される順番で読み出し、前記表示制御手段は、逐次読み出される各静止画データを、ユーザによる進む／戻るの指示操作に応じて切り換えながら前記表示部に逐次表示させる。
【手続補正４】
【補正対象書類名】明細書
【補正対象項目名】０００８
【補正方法】変更
【補正の内容】
【０００８】
また、本発明の第３の態様は、第１の態様において、前記表示制御手段は、前記読み出し手段により逐次読み出される各静止画データを、予め設定された所定の時間間隔で切り換えながら前記表示部に逐次表示させる。
【手続補正５】
【補正対象書類名】明細書
【補正対象項目名】０００９
【補正方法】変更
【補正の内容】
【０００９】
また、本発明の第４の態様は、第１の態様において、前記指定手段は、プレイリストに含まれる各静止画毎にその再生時間を指定し、前記表示制御手段は、前記読み出し手段によって逐次読み出される静止画データを、各静止画毎に指定される時間の間表示した後に、次の静止画を前記表示部に逐次表示させる。
【手続補正６】
【補正対象書類名】明細書
【補正対象項目名】００１０
【補正方法】変更
【補正の内容】
【００１０】
また、本発明の第５の態様は、第１の態様において、前記表示制御手段は、設定対象となるプレイリストに含まれる静止画の一部または全体を、その再生順がわかるように前記表示部のプレイリスト設定画面上に表示させるとともに、該プレイリストへの追加候補となる複数の静止画を前記プレイリスト設定画面上に表示し、ユーザが該プレイリストに追加する静止画と、その挿入位置を前記プレイリスト設定画面上で指定することを促す。
【手続補正７】
【補正対象書類名】明細書
【補正対象項目名】００１１
【補正方法】変更
【補正の内容】
【００１１】
また、本発明の第６の態様は、第１の態様において、音声データを複数記憶する音声記憶手段をさらに具備し、前記プレイリスト記憶手段は、前記指定手段により選択した音声データの指定情報をプレイリストに対応付けて記憶し、前記表示制御手段は、プレイリストに従って静止画の再生を行う際に、該プレイリストで指定される音声データを再生させる。
【手続補正８】
【補正対象書類名】明細書
【補正対象項目名】００１４
【補正方法】変更
【補正の内容】
【００１４】
また、本発明の第９の態様は、静止画再生方法であって、撮影された静止画データを静止画記憶手段に複数記憶する静止画記憶ステップと、前記記憶されている複数の静止画データの中から、任意の静止画データを選択するとともに、この選択された静止画の読み出し順番を任意に指定する指定ステップと、前記指定ステップにおいて選択及び指定された情報をプレイリストとしてプレイリスト記憶手段に複数記憶するプレイリスト記憶ステップと、前記プレイリスト記憶手段に記憶されている複数のプレイリストの中から任意のプレイリストを指定して再生を指示する再生指示ステップと、前記再生指示ステップにおいてプレイリストの指定と共に再生が指示された場合に、該プレイリストで指定された静止画を、指定された順番で前記静止画記憶手段から逐次読み出す読み出しステップと、前記読み出しステップにおいて逐次読み出される各静止画データを、切り換えながら表示部に逐次表示させる表示制御ステップと、を具備する。
【手続補正９】
【補正対象書類名】明細書
【補正対象項目名】００１５
【補正方法】変更
【補正の内容】
【００１５】
また、本発明の第１０の態様は、第１から第８の態様において、被写体を撮影して静止画データを取得する撮影手段を有する。
【手続補正１０】
【補正対象書類名】明細書
【補正対象項目名】００１７
【補正方法】変更
【補正の内容】
【００１７】
本発明によれば、撮影した順序や枚数などによらず、任意の枚数の静止画を任意の順番に再生することができる。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】